(57)【要約】【課題】  物体光および参照光を用いたデータの記録特性および再生特性を向上させることができ、同時に、位置制御光を用いて、所望のように、物体光および参照光または参照光を位置決めし、記録または再生を行われている領域のアドレスを検出することができるホログラム記録媒体を提供する。【解決手段】  データをホログラム記録可能なホログラム記録担体と、ホログラム記録担体の一方の表面に形成された第１の反射防止膜２１と、ホログラム記録担体の他方の表面に形成された第２の反射防止膜２２とを備え、第１の反射防止膜の光学特性と第２の反射防止膜の光学特性とが互いに異なることを特徴とするホログラム記録媒体。【選択図】      図２
2004151698.tif 000002
【特許請求の範囲】
【請求項１】
ホログラム記録が可能なホログラム記録担体と、前記ホログラム記録担体の一方の表面に設けられた第１の反射防止膜と、前記ホログラム記録担体の他方の表面に設けられた第２の反射防止膜とを備え、前記第１の反射防止膜の光学特性と前記第２の反射防止膜の光学特性とが互いに異なることを特徴とするホログラム記録媒体。
【請求項２】
前記ホログラム記録担体が、第１のレーザビームを照射することによって、データの記録および再生ができるように構成され、ホログラム記録担体の前記他方の表面に、凹凸パターンが設けられ、前記凹凸パターンに、第２のレーザビームを照射することによって、前記第１のレーザビームを位置決め可能で、かつ、データの記録または再生がおこなわれている領域のアドレスを検出可能に構成されたことを特徴とする請求項１に記載のホログラム記録媒体。
【請求項３】
前記第１のレーザビームに対する前記第２の反射防止膜の反射率よりも、前記第２のレーザビームに対する前記第２の反射防止膜の反射率の方が大きくなるように、前記第２の反射防止膜が形成されたことを特徴とする請求項２に記載のホログラム記録媒体。
【請求項４】
前記第２のレーザビームに対する前記第１の反射防止膜の反射率よりも、前記第２のレーザビームに対する前記第２の反射防止膜の反射率の方が大きくなるように、前記第１の反射防止膜および前記第２の反射防止膜が形成されたことを特徴とする請求項２または３に記載のホログラム記録媒体。
【請求項５】
前記第１のレーザビームに対する前記第１の反射防止膜の反射率および前記第２の反射防止膜の反射率がいずれも、１．０％以下であることを特徴とする請求項２ないし４のいずれか１項に記載のホログラム記録媒体。
【請求項６】
前記第２のレーザビームに対する前記第２の反射防止膜の反射率が２．０％以上であることを特徴とする請求項５に記載のホログラム記録媒体。
【請求項７】
前記第１のレーザビームの方が前記第２のレーザビームよりも波長が短いことを特徴とする請求項２ないし６のいずれか１項に記載のホログラム記録媒体。
【請求項８】
前記第１および第２の反射防止膜の膜厚がいずれも前記第１のレーザビームの波長の１．５倍以下であることを特徴とする請求項２ないし７のいずれか１項に記載のホログラム記録媒体。
【請求項９】
前記第１のレーザビームが入射する前記ホログラム記録担体の表面に、前記第１の反射防止膜が形成されていることを特徴とする請求項２ないし８のいずれか１項に記載のホログラム記録媒体。
【請求項１０】
前記ホログラム記録担体が、第１の光透過性基板および第２の光透過性基板と、前記第１の光透過性基板と前記第２の光透過性基板との間に設けられたホログラム記録層を備えていることを特徴とする請求項１ないし９のいずれか１項に記載のホログラム記録媒体。
【発明の詳細な説明】
【技術分野】
【０００１】
本発明は、ホログラム記録媒体に関するものであり、さらに詳細には、物体光および参照光を用いたデータの記録特性および再生特性を向上させることができ、同時に、位置制御光を用いて、所望のように、物体光および参照光または参照光を位置決めし、記録または再生を行われている領域のアドレスを検出することができるホログラム記録媒体に関するものである。
【背景技術】
【０００２】
従来より、デジタルデータを記録するための記録媒体として、ＣＤ−Ｒ、ＤＶＤ−Ｒに代表される追記型光記録媒体や、ＣＤ−ＲＷ、ＤＶＤ−ＲＷに代表される書き換え型光記録媒体が広く利用されている。これら従来の光記録媒体にデータを記録する場合、強度変調されたレーザビームを光記録媒体の記録層に照射して、記録層の領域を、局所的に、化学的におよび／または物理的に変化させ、記録マークを形成する。データは、記録マークの前縁から後縁までの長さ（記録マーク長）および記録マークの後縁から次の記録マークの前縁までの長さ（ブランク長）によって表現される。つまり、これらの光記録媒体においては、データは１次元的に表現され、２次元的に記録される。
【０００３】
しかしながら、近年における情報化社会の飛躍的な発展に伴い、デジタルデータを記録するための光記録媒体のさらなる大容量化、記録／再生の高速化が求められている。これを実現するため、現在様々なタイプの次世代型光記録媒体が提案されているが、これらの中でも、データを光記録媒体に２次元的に記録するのではなく、イメージ状のデータを記録することによって、大容量化および記録／再生を高速化する技術が注目されている。このような技術としてホログラム記録が挙げられる。ホログラム記録においては、イメージ状のデータが、光記録媒体中に、３次元的（立体的）に記録される。ホログラム記録方式によるデータの記録が可能な記録媒体はホログラム記録媒体と呼ばれる（'Holographic Data Storage' Springer series in optical sciences 76）。
【０００４】
ホログラム記録方式においては、それぞれ物体光および参照光と呼ばれる２つのコヒーレントなレーザビームを異なる角度でホログラム記録媒体の記録層（ホログラム記録層）に照射して、干渉縞を生成し、生成した干渉縞を、ホログラムとして、記録層に３次元的に記録する。また、記録されたデータを再生する場合には、干渉縞が形成された記録層に参照光を照射して、ホログラムとして記録されたデータを復元する。
【０００５】
また、特開２００２−６３７３３号公報に記載されているように、ホログラム記録媒体の基板には、物体光および参照光または参照光の位置決めおよび記録または再生を行っている領域のアドレスの検出に用いる凹凸パターンが設けられることがあり、この場合には、データの記録または再生時において、この凹凸パターンに、位置制御光と呼ばれる第３のレーザビームのスポットを合わせることによって、物体光および参照光または参照光の位置決めを行うことができ、現在、記録または再生を行われている領域のアドレスを検出することが可能になる。
【発明の開示】
【発明が解決しようとする課題】
【０００６】
このように、ホログラム記録媒体においてはデータが３次元的に記録されることから、２次元的な記録が行われる従来の光記録媒体では、問題とならなかった基板表面でのレーザビームの反射が、データの記録および再生に大きな影響を与えると考えられる。このため、ホログラム記録媒体においては、基板の表面に反射防止膜を設け、これによって、データの記録および再生にとって有害な基板表面でのレーザビームの反射を抑制する必要があるものと考えられる。
【０００７】
しかしながら、反射防止膜によって基板の表面反射を大幅に抑制すると、基板に設けられた凹凸パターンに位置制御光を照射しても、得られる反射光が十分に変調されず、このため、物体光および参照光または参照光の位置決めや記録または再生を行われている領域のアドレスを検出することが困難になるという問題がある。
【０００８】
したがって、本発明の目的は、物体光および参照光を用いたデータの記録特性および再生特性を向上させることができ、同時に、位置制御光を用いて、所望のように、物体光および参照光または参照光を位置決めし、記録または再生を行われている領域のアドレスを検出することができるホログラム記録媒体を提供することにある。
【課題を解決するための手段】
【０００９】
本発明の前記目的は、データをホログラム記録可能なホログラム記録担体と、前記ホログラム記録担体の一方の表面に形成された第１の反射防止膜と、前記ホログラム記録担体の他方の表面に形成された第２の反射防止膜とを備え、前記第１の反射防止膜の光学特性と前記第２の反射防止膜の光学特性とが互いに異なることを特徴とするホログラム記録媒体によって達成される。
【００１０】
本発明において、ホログラム記録担体は、少なくとも、ホログラム記録層を備え、一対の光透過性基板と、一対の光透過性基板の間に形成されたホログラム記録層とによって構成されていても、光透過性基板と、光透過性基板の一方の表面に形成されたホログラム記録層とによって構成されていてもよく、さらには、ホログラム記録層のみで構成されていてもよい。
【００１１】
本発明によれば、第１の反射防止膜と第２の反射防止膜とが、互いに異なる光学特性を有しているから、第１の反射防止膜の光学特性および第２の反射防止膜の光学特性を適宜設定することによって、ホログラム記録担体表面における物体光および参照光の反射を抑制しつつ、ホログラム記録担体表面における位置制御光の反射を確保することができ、したがって、物体光および参照光を用いたデータの記録特性および再生特性を向上させることができ、同時に、位置制御光を用いて、所望のように、物体光および参照光または参照光を位置決めし、記録または再生を行われている領域のアドレスを検出することが可能になる。
【００１２】
本発明の好ましい実施態様においては、前記ホログラム記録担体が、第１のレーザビームを照射することによって、データの記録および再生ができるように構成され、ホログラム記録担体の前記他方の表面に、凹凸パターンが設けられ、前記凹凸パターンに、第２のレーザビームを照射することによって、前記第１のレーザビームを位置決めし、データの記録または再生がおこなわれている領域のアドレスを検出することができるように、構成されている。
【００１３】
本発明のさらに好ましい実施態様においては、前記第１のレーザビームに対する前記第２の反射防止膜の反射率よりも、前記第２のレーザビームに対する前記第２の反射防止膜の反射率の方が大きくなるように、前記第２の反射防止膜が形成されている。
【００１４】
本発明のさらに好ましい実施態様によれば、ホログラム記録担体の他方の表面における第１のレーザビームの反射を抑制しつつ、第２のレーザビームの反射を確保することができる。
【００１５】
本発明のさらに好ましい実施態様においては、前記第２のレーザビームに対する前記第１の反射防止膜の反射率よりも、前記第２のレーザビームに対する前記第２の反射防止膜の反射率の方が大きくなるように、前記第１の反射防止膜および前記第２の反射防止膜が形成されている。
【００１６】
本発明のさらに好ましい実施態様によれば、ホログラム記録担体の一方の表面における第２のレーザビームの反射を抑制しつつ、ホログラム記録担体の他方の表面における第２のレーザビームの反射を確保することができる。
【００１７】
本発明において、第１のレーザビームに対する前記第１の反射防止膜の反射率および第２の反射防止膜の反射率はいずれも、１．０％以下であることが好ましく、０．５％以下であることがより好ましい。
【００１８】
第１のレーザビームに対する前記第１の反射防止膜の反射率および第２の反射防止膜の反射率がいずれも、１．０％以下である場合には、ホログラム記録担体の両表面における第１のレーザビームの反射がデータの記録および再生に与える悪影響を効果的に抑制することが可能となる。
【００１９】
また、本発明において、第２のレーザビームに対する第２の反射防止膜の反射率が、２．０％以上であることが好ましく、３．０％以上であることがより好ましく、４．０％以上であることがとくに好ましい。
【００２０】
第２のレーザビームに対する第２の反射防止膜の反射率が、２．０％以上である場合には、凹凸パターンによって反射された第２のレーザビームを大きく変調させることが可能となる。
【００２１】
さらに、本発明において、第１のレーザビームの波長が、第２のレーザビームの波長よりも短いことが好ましい。
【００２２】
第１のレーザビームの波長が、第２のレーザビームの波長よりも短い場合には、第２のレーザビームの照射により、ホログラム記録担体が感光して、データが劣化したり、消失したりすること確実に防止することが可能になる。
【００２３】
また、本発明において、第１の反射防止膜および第２の反射防止膜の膜厚がいずれも、第１のレーザビームの波長の１．５倍以下であることが好ましい。
【００２４】
第１の反射防止膜および第２の反射防止膜の膜厚が第１のレーザビームの波長の１．５倍以下である場合には、材料コストを低減することが可能になるだけでなく、第１の反射防止膜および第２の反射防止膜の成膜時間を短縮することができるから、製造コストを低減することが可能になり、さらには、第１の反射防止膜および第２の反射防止膜の応力による剥離を防止することが可能となる。
【００２５】
本発明に好ましい実施態様においては、前記第１のレーザビームが入射する前記ホログラム記録担体の表面に、前記第１の反射防止膜が形成されている。
【００２６】
本発明の好ましい実施態様においては、前記ホログラム記録担体は、第１の光透過性基板および第２の光透過性基板と、前記第１の光透過性基板と前記第２の光透過性基板との間に設けられたホログラム記録層を備えている。
【発明の効果】
【００２７】
本発明によれば、物体光および参照光を用いたデータの記録特性および再生特性を向上させることができ、同時に、位置制御光を用いて、所望のように、物体光および参照光または参照光を位置決めし、記録または再生を行われている領域のアドレスを検出することができるホログラム記録媒体を提供することが可能になる。
【発明を実施するための最良の形態】
【００２８】
以下、添付図面を参照しながら、本発明の好ましい実施態様について詳細に説明する。
【００２９】
図１は、本発明の好ましい実施態様にかかるホログラム記録媒体の外観を示す略切り欠き斜視図であり、図２は、図１のＡで示される部分の略拡大部分断面図である。
【００３０】
図１に示されるように、本実施態様にかかるホログラム記録媒体１０の外形はディスク状であり、その中央部分には孔が設けられている。
【００３１】
ホログラム記録媒体１０の外径・厚みについては特に限定されないが、ドライブ（ホログラム記録再生装置）側における取り扱いの容易さを考慮すれば、ＣＤやＤＶＤなど、現行の光記録媒体の外径・厚み（それぞれ１２０ｍｍ、１．２ｍｍ）と同一かこれに近いサイズとすることが望ましい。
【００３２】
また、図２に示されるように、ホログラム記録媒体１０は光透過性基板１１、１２と、これらの間に設けられたホログラム記録層２０と、光透過性基板１１の表面１１ａに設けられた反射防止膜２１と、光透過性基板１２の表面１２ａに設けられた反射防止膜２２とを備えており、反射防止膜２１が設けられている面側から物体光ａ、参照光ｂおよび位置制御光ｃが照射され、これによってデータの記録あるいは再生が行われるように構成されている。
【００３３】
以下に詳述するが、物体光ａと参照光ｂは、同じレーザ光源から発せられるレーザビームであり、本明細書においては、その波長がλ０と定義される。
【００３４】
また、位置制御光ｃは、物体光ａおよび参照光ｂとは異なるレーザ光源から発せられるレーザビームであり、本明細書においては、その波長がλ１（≠λ０）と定義される。
【００３５】
波長λ０と波長λ１との関係は、λ０＜λ１であることが好ましく、１．２×λ０＜λ１＜２．０×λ０であることがより好ましい。
【００３６】
波長λ０と波長λ１との関係をこのように設定すれば、位置制御光ｃの照射によって、ホログラム記録層２０が感光して、データが劣化したり、消失したりすることがなくなる。
【００３７】
また、大容量化および高速化を実現するためには、波長λ０としては３５０ｎｍないし５５０ｎｍの範囲に設定することが好ましい。また、λ１の波長が長すぎると分解能が悪化し、以下に説明する凹凸パターンを大きくしたり、深くする必要が生じることから、λ１の波長はλ０の２倍未満であることが好ましい。
【００３８】
光透過性基板１１、１２は、少なくとも波長λ０と波長λ１における光透過率が十分に高い材料からなる円盤状の基板である。光透過性基板１１は、物体光ａ、参照光ｂおよび位置制御光ｃを透過させ、光透過性基板１２は、参照光ｂおよび位置制御光ｃを透過させる役割を果たすとともに、光透過性基板１１、１２は、ホログラム記録層２０を物理的、化学的に保護し、かつ、ホログラム記録媒体１０に求められる機械的強度を確保するための基体としての役割も果たす。したがって、光透過性基板１１、１２の材料および厚さについてはこれらを考慮して決定する必要がある。
【００３９】
光透過性基板１１、１２は、種々の材料を用いて形成することができるが、たとえば、ガラス、セラミックスおよび樹脂を用いることができ、これらのうち、樹脂またはガラスを用いることが好ましい。このような樹脂としては、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂、ポリオレフィン樹脂などが挙げられ、中でも、複屈折が小さくなるという観点からポリオレフィン樹脂、特にアモルファスポリオレフィン樹脂が非常に好ましい。また、ガラスとしては、ソーダライムガラス、アルミノ珪酸ガラス、合成石英ガラスなどが挙げられる。
【００４０】
また、光透過性基板１１、１２の材料は、ホログラム記録層２０との界面における反射を防止するため、ホログラム記録層２０とほぼ同等の屈折率を有していることが好ましい。
【００４１】
光透過性基板１２の表面１２ａには、その中心部近傍から外縁部に向けて、物体光ａおよび参照光ｂを位置決めするとともに、現在、記録または再生を行っている領域のアドレスを特定するための凹凸パターン１３が螺旋状に形成されている。
【００４２】
以下に詳述するが、凹凸パターン１３には、位置制御光ｃのビームスポットが照射され、得られる反射光を検出することによって、物体光ａおよび参照光ｂの位置決めを行うとともに、現在、記録または再生を行っている領域のアドレスを検出することができる。
【００４３】
したがって、凹凸パターン１３の具体的な構成としては、物体光ａおよび参照光ｂの位置決め並びにアドレス検出が可能であれば、特に限定されるものではなく、ＣＤ−ＲＯＭなどの基板に形成されるピット列と同様のパターンを凹凸パターン１３として用いてもよいし、ＣＤ−Ｒなどの基板に形成されるプリグルーブと同様のパターンを凹凸パターン１３として用いてもよい。
【００４４】
ピット列と同様のパターンを、凹凸パターン１３として用いる場合には、ピットの長さおよびピット間の長さにアドレス情報を持たせることができ、プリグルーブと同様のパターンを、凹凸パターン１３として用いる場合には、そのウォブルにアドレス情報を持たせることができる。
【００４５】
また、凹凸パターン１３は同心円状でもよく、基板がカード状などである場合には、線状に連なっていてもよい。さらに、凹凸パターン１３は連続的に形成されている必要はなく、断続的に形成されていてもよい。
【００４６】
ホログラム記録層２０は、コヒーレントな物体光ａおよび参照光ｂが照射されて、生成される干渉縞がホログラムとして記録される層である。
【００４７】
ホログラム記録層２０を形成する材料は、特に限定されるものではなく、フォトポリマーなどの感光性材料を用いることができる。
【００４８】
ホログラム記録層２０と光透過性基板１１、１２とは、直接接していてもよいが、これらの間に、ホログラム記録層２０の劣化を防止するための保護膜を介在させてもよい。光透過性基板１１、１２とホログラム記録層２０との間に保護層を設ける場合、保護層が、光透過性基板１１、１２およびホログラム記録層２０とほぼ同等の屈折率を有していることが好ましい。
【００４９】
以下、光透過性基板１１、１２およびホログラム記録層２０を含む積層体を、「ホログラム記録担体」という。
【００５０】
反射防止膜２１、２２は、それぞれ、光透過性基板１１、１２の表面１１ａ、１２ａにおける光の反射を低減させるための薄膜であり、特に限定されるものではないが、複数の無機膜の積層体（無機多層膜）によって構成することが好ましい。
【００５１】
本実施態様においては、反射防止膜２１、２２は、それぞれ、光透過性基板１１、１２の表面１１ａ、１２ａに直接設けられているが、反射防止膜２１と光透過性基板１１との間に、他の層が介在していてもよく、反射防止膜２２と光透過性基板１２との間に、他の層が介在していてもよい。さらには、反射防止膜２１と光透過性基板１１との間および反射防止膜２２と光透過性基板１２との間に、他の層が介在していてもよい。光透過性基板１１、１２と反射防止膜２１、２２との間に、他の層を設ける場合、他の層が、光透過性基板１１、１２およびホログラム記録層２０とほぼ同等の屈折率を有していることが好ましい。
【００５２】
反射防止膜２１の光学特性と反射防止膜２２の光学特性とは互いに異なっており、具体的には、本発明において、波長λ０のレーザビームに対する反射防止膜２１の反射率をＲ２１（λ０）、波長λ１のレーザビームに対する反射防止膜２１の反射率をＲ２１（λ１）、波長λ０のレーザビームに対する反射防止膜２２の反射率をＲ２２（λ０）、波長λ１のレーザビームに対する反射防止膜２２の反射率をＲ２２（λ１）が、次式（１）および（２）の少なくとも一方を満たしていることが好ましく、両方を満たしていることがより好ましい。
【００５３】
Ｒ２２（λ０）＜Ｒ２２（λ１）          （１）
Ｒ２１（λ１）＜Ｒ２２（λ１）          （２）
本実施態様にかかるホログラム記録媒体１０の反射防止膜２１および反射防止膜２２は、式（１）および（２）の双方を満たしている。
【００５４】
式（１）が満たされている場合には、光透過性基板１２の表面１２ａにおける物体光ａおよび参照光ｂの反射を抑制しつつ、光透過性基板１２の表面１２ａにおける位置制御光ｃの反射をある程度確保することが可能となるので、物体光ａおよび参照光ｂの反射によるデータの記録および再生への悪影響を抑制しつつ、位置制御光ｃを凹凸パターン１３に照射した場合に得られる反射光を十分に変調させることができる。
【００５５】
また、式（２）が満たされている場合には、光透過性基板１１の表面１１ａにおける位置制御光ｃの反射を抑制しつつ、光透過性基板１２の表面１２ａにおける位置制御光ｃの反射をある程度確保することが可能となるので、位置制御光ｃの反射によるデータの記録および再生への悪影響を抑制しつつ、位置制御光ｃを凹凸パターン１３に照射した場合に得られる反射光を十分に変調させることができる。
【００５６】
具体的な数値を挙げて、説明を加えると、波長λ０のレーザビームに対する反射防止膜２１の反射率であるＲ２１（λ０）は、１．０％以下であることが好ましく、０．５％以下であることがより好ましい。反射率Ｒ２１（λ０）を１．０％以下に設定すれば、光透過性基板１１の表面１１ａにおける物体光ａおよび参照光ｂの反射がデータの記録および再生に与える悪影響を効果的に抑制することが可能となり、反射率Ｒ２１（λ０）を０．５％以下に設定すれば、光透過性基板１１の表面１１ａにおける物体光ａおよび参照光ｂの反射がデータの記録および再生に与える悪影響をより効果的に抑制することが可能となる。後述するように、物体光ａおよび参照光ｂは、所定の入射角をもって、反射防止膜２１に照射されるため、できる限り広い入射角、好ましくは０度ないし４５度、より好ましくは０度ないし５５度の範囲において、反射率Ｒ２１（λ０）が、上述した好ましい範囲内にあることが好ましい。
【００５７】
また、波長λ０のレーザビームに対する反射防止膜２２の反射率であるＲ２２（λ０）も、１．０％以下であることが好ましく、０．５％以下であることがより好ましい。反射率Ｒ２２（λ０）を１．０％以下に設定すれば、光透過性基板１２の表面１２ａにおける物体光ａおよび参照光ｂの反射がデータの記録および再生に与える悪影響を、効果的に抑制することが可能となり、反射率Ｒ２２（λ０）を０．５％以下に設定すれば、光透過性基板１２の表面１２ａにおける物体光ａおよび参照光ｂの反射がデータの記録および再生に与える悪影響を、より効果的に抑制することが可能となる。できる限り広い入射角、好ましくは０度ないし４５度、より好ましくは０度ないし５５度の範囲において、反射率Ｒ２２（λ０）が、上述した好ましい範囲内にあることが好ましい。
【００５８】
さらに、波長λ１のレーザビームに対する反射防止膜２１の反射率であるＲ２１（λ１）は、１．５％以下であることが好ましく、１．０％以下であることがより好ましい。反射率Ｒ２１（λ１）を１．５％以下に設定すれば、光透過性基板１１の表面１１ａにおける位置制御光ｃの反射がデータの記録および再生に与える悪影響を、効果的に抑制することが可能となり、反射率Ｒ２１（λ１）を１．０％以下に設定すれば、光透過性基板１１の表面１１ａにおける位置制御光ｃの反射がデータの記録および再生に与える悪影響を、より効果的に抑制することが可能となる。ここで、反射率Ｒ２１（λ１）の好ましい数値の上限として、反射率Ｒ２１（λ０）の好ましい数値の上限よりも高い数値が許容されているのは、光透過性基板１１の表面１１ａにおける物体光ａおよび参照光ｂの反射がデータの記録および再生に与える悪影響よりも、光透過性基板１１の表面１１ａにおける位置制御光ｃの反射がデータの記録および再生に与える悪影響の方が小さいからである。
【００５９】
そして、波長λ１のレーザビームに対する反射防止膜２２の反射率であるＲ２２（λ１）は、２．０％以上であることが好ましく、３．０％以上であることがより好ましく、４．０％以上であることが、とくに好ましい。反射率Ｒ２２（λ１）を２．０％以上に設定すれば、位置制御光ｃを凹凸パターン１３に照射した場合に得られる反射光を大きく変調させることが可能となり、反射率Ｒ２２（λ１）を３．０％以上に設定すれば、反射光をより大きく変調させることが可能となり、反射率Ｒ２２（λ１）を４．０％以上に設定すれば、反射光をきわめて大きく変調させることが可能となる。
【００６０】
上述のとおり、反射防止膜２１、２２は、複数の無機膜の積層体（無機多層膜）によって構成することが好ましい。無機膜を形成するための材料としては、たとえば、ＴｉＯ２、Ｙ２Ｏ３、ＳｉＯ２、Ａｌ２Ｏ３、ＺｒＯ２、ＣｅＯ２、ＺｎＯなどの酸化物、ＭｇＦ２、ＡｌＦ３などのフッ化物、ＺｎＳなどの硫化物およびこれらの混合物が挙げられ、２種以上の無機膜を積層することによって反射防止膜２１、２２を構成することができる。反射防止膜２１、２２の光学特性は、各無機膜の材料、各無機膜の膜厚および層構成によって調整することが可能であり、したがって、各無機膜の材料、各無機膜の膜厚および層構成を適宜選択することによって、上記の特性を有する反射防止膜２１、２２を形成することが可能となる。
【００６１】
図３は、反射防止膜２１、２２の略断面図である。
【００６２】
図３に示される反射防止膜２１、２２は、７層の無機膜３１、３２、３３、３４、３５、３６、３７が、この順に積層されて、形成されている。これらのうち、無機膜３１、３５、３７は、光透過性基板１１、１２よりも屈折率の低い材料（「低屈折率材料」という）によって形成され、無機膜３２、３４、３６は、光透過性基板１１、１２よりも屈折率のやや高い材料（「中屈折率材料」という）によって形成され、無機膜３３は、中屈折率材料よりもさらに屈折率の高い材料（「高屈折率材料」という）によって形成されている。
【００６３】
ここに、屈折率とは、波長λ０における屈折率をいう。
【００６４】
透過性基板１１、１２の屈折率が１．４７ないし１．６０である場合には、低屈折率材料としては、ＭｇＦ２やＡｌＦ３などのフッ化物およびＳｉＯ２の単体やこれらの混合物またはこれらを主成分とする組成物を用いることができ、中屈折率材料としては、Ｙ２Ｏ３、Ａｌ２Ｏ３、ＺｒＯ２やＺｎＯとＳｉＯ２の混合物またはこれらを主成分とする組成物を用いることができ、高屈折率材料としては、ＴｉＯ２、ＣｅＯ２、ＺｎＳなどの硫化物またはこれらを主成分とする組成物を用いることができる。
【００６５】
これら無機膜３１、３２、３３、３４、３５、３６、３７は、スパッタ法、真空蒸着法、ゾルゲル法などを用いて、形成することができ、特に、膜厚の制御などの観点から、真空蒸着法やスパッタ法を用いて、形成することが好ましい。
【００６６】
このように、低屈折率材料によって形成された無機膜３１、３５、３７と、中屈折率材料によって形成された無機膜３２、３４、３６と、高屈折率材料によって形成された無機膜３３を、高屈折率材料によって形成された無機膜３３が中屈折率材料によって形成された無機膜３２および３４の間に位置するように、積層することによって、特定の波長領域において、広い入射角範囲にわたって、非常に低い反射率を有する反射防止膜２１、２２を形成することが可能となる。
【００６７】
したがって、反射防止膜２１、２２が、図３に示される層構成を有している場合には、各無機膜３１、３２、３３、３４、３５、３６、３７の材料および膜厚を適宜選択することによって、上述した好ましい光学特性を有する反射防止膜２１、２２を形成することが可能となる。
【００６８】
また、反射防止膜２１、２２の膜厚は、１．５×λ０以下に設定することが好ましい。反射防止膜２１、２２の膜厚をこれ以上に設定すると、材料コストが高くなるとともに、成膜に長時間を要するため、製造コストが高くなり、さらに、反射防止膜２１、２２の応力増大によって、反射防止膜２１、２２が剥離するおそれがあり、好ましくない。
【００６９】
次に、本実施態様にかかるホログラム記録媒体１０に対するデータの記録方法および再生方法について説明する。
【００７０】
図４は、ホログラム記録媒体１０に、データを記録し、再生するホログラム記録再生装置のダイアグラムである。
【００７１】
図４に示されるように、ホログラム記録再生装置１００は、第１のレーザ光源１０１と、第２のレーザ光源１０２と、ビームスプリッタ１０３と、シャッタ１０４と、空間光変調器１０５と、ハーフミラー１０６、１０７と、ミラー１０８と、レンズ１０９、１１０、１１１と、位置検出器１１２と、イメージセンサ１１３とを備えている。
【００７２】
第１のレーザ光源１０１は波長λ０のレーザビームを発生する光源であり、第１のレーザ光源１０１から発せられたレーザビームは、ビームスプリッタ１０３によって、物体光ａおよび参照光ｂに分離される。
【００７３】
一方、第２のレーザ光源１０２は波長λ１のレーザビームを発生する光源であり、第２のレーザ光源１０２によって生成されたレーザビームは位置制御光ｃとして用いられる。
【００７４】
物体光ａの光路上には、シャッタ１０４、空間光変調器１０５、ハーフミラー１０６およびレンズ１０９が配置されており、物体光ａは、データの記録時においては、ホログラム記録媒体１０の反射防止膜２１の表面に対して、垂直に（入射角φ＝０度）入射する。
【００７５】
これに対して、データの再生時においては、物体光ａは、シャッタ１０４によって遮られるから、物体光ａは、データの記録時においてのみ、ホログラム記録媒体１０に照射されることになる。物体光ａの光路上に設けられた空間光変調器１０５は、記録すべきデータにしたがって、物体光ａを、平面的にパターン変調する装置である。
【００７６】
一方、参照光ｂは、ミラー１０８によって反射された後、レンズ１１０を介して、ホログラム記録媒体１０の反射防止膜２１の表面に対して、所定の入射角θをもって、入射する。参照光ｂの光路上には、シャッタは設けられてはいないため、ホログラム記録媒体１０にはデータの記録時および再生時の両方において参照光ｂが照射される。
【００７７】
したがって、データの記録時においては、ホログラム記録媒体１０には物体光ａおよび参照光ｂの両方が照射され、これにより、ホログラム記録媒体１０に含まれるホログラム記録層２０内に、物体光ａおよび参照光ｂによる干渉縞が生成され、ホログラムとして記録される。
【００７８】
一方、データの再生時においては、ホログラム記録媒体１０には参照光ｂのみが照射され、これにより、ホログラム記録層２０内に形成されているホログラムが、光の形で、再生され、ホログラムの像を含む再生光ｄが、レンズ１１１を介して、イメージセンサ１１３に受光される。再生光に含まれるホログラム像は、イメージセンサ１１３によって、データに変換される。
【００７９】
他方、位置制御光ｃは、ハーフミラー１０７を通過した後、ハーフミラー１０６によって反射されて、物体光ａと同一の光路を進行する。位置制御光ｃのフォーカスは、光透過性基板１２に設けられている凹凸パターン１３に合わせられ、凹凸パターン１３によって反射された位置制御光ｅが、位置検出器１１２によって、検出されて、物体光ａおよび参照光ｂまたは参照光ｂの位置決めがされるとともに、現在、記録または再生を行っている領域のアドレスが検出される。
【００８０】
すなわち、まず、位置検出器１１２は、光透過性基板１２の表面１２ａからの反射に基づいて、フォーカス信号を生成し、凹凸パターン１３に基づいて、位置信号を生成する。フォーカス信号および位置信号は、駆動手段（図示せず）に供給され、駆動手段は、フォーカス信号に基づいて、ホログラム記録媒体１０をその厚み方向に正確に移動させるとともに、位置信号に基づいて、ホログラム記録媒体１０をその面方向に正確に移動させる。その結果、物体光ａおよび参照光ｂまたは参照光ｂが正確に位置決めされる。駆動手段によって、ホログラム記録媒体１０を移動させる代わりに、ミラーやレンズなどを含む光学系全体を移動させることによって、物体光ａおよび参照光ｂまたは参照光ｂを位置決めすることもできる。
【００８１】
以上のように構成されたホログラム記録再生装置１００を用いて、ホログラム記録媒体１０にデータを記録し、ホログラム記録媒体１０からデータを再生する場合、本実施態様にかかるホログラム記録媒体１０においては、波長がλ１である位置制御光ｃに対する反射防止膜２２の反射率Ｒ２２（λ１）が十分に大きく設定されているから、光透過性基板１２の表面１２ａに形成された反射防止膜２２によって反射された位置制御光ｅの強度は十分に大きく、したがって、位置検出器１１２により、反射防止膜２２によって反射された位置制御光ｅを検出することによって、物体光ａおよび参照光ｂの位置決めおよび現在、記録または再生を行っている領域のアドレス検出を確実に行うことが可能となる。
【００８２】
また、反射防止膜２２は、物体光ａおよび参照光ｂに対する反射率Ｒ２２（λ０）が、位置制御光ｃに対する反射率Ｒ２２（λ１）よりも小さく設定されているから、光透過性基板１２の表面１２ａにおける物体光ａおよび参照光ｂの反射は抑制され、したがって、物体光ａおよび参照光ｂが光透過性基板１２の表面１２ａにおいて反射することに起因するデータの記録あるいは再生への悪影響を効果的に抑制することができる。
【００８３】
さらに、本実施態様においては、位置制御光ｃに対する反射防止膜２１の反射率Ｒ２１（λ１）が、位置制御光ｃに対する反射防止膜２２の反射率Ｒ２２（λ１）よりも小さく設定されているから、光透過性基板１１の表面１１ａにおける位置制御光ｃの反射は抑制され、したがって、位置制御光ｃが光透過性基板１１の表面１１ａにおいて反射することに起因するデータの記録あるいは再生への悪影響を効果的に抑制することができる。
【００８４】
図５は、ホログラム記録媒体１０に、データを記録し、再生するホログラム記録再生装置の他の例を示すダイアグラムである。
【００８５】
図５に示されるように、ホログラム記録再生装置２００は、第１のレーザ光源２０１と、第２のレーザ光源２０２と、ビームスプリッタ２０３と、シャッタ２０４と、空間光変調器２０５と、ミラー２０６、２０８と、ハーフミラー２０７と、レンズ２０９、２１０、２１１、２１２と、位置検出器２１３と、イメージセンサ２１４とを備えている。
【００８６】
第１のレーザ光源２０１は、波長λ０のレーザビームを発生する光源であり、第１のレーザ光源２０１から発せられたレーザビームは、ビームスプリッタ２０３によって、物体光ａおよび参照光ｂに分離される。
【００８７】
一方、第２のレーザ光源２０２は波長λ１のレーザビームを発生する光源であり、第２のレーザ光源２０２によって生成されたレーザビームは位置制御光ｃとして用いられる。
【００８８】
物体光ａの光路上には、シャッタ２０４、ミラー２０６、空間光変調器２０５およびレンズ２０９が配置されており、物体光ａは、データの記録時においては、ホログラム記録媒体１０の反射防止膜２１の表面に対して、所定の入射角φをもって、入射する。
【００８９】
これに対して、データの再生時においては、物体光ａは、シャッタ２０４によって遮られるから、物体光ａは、データの記録時においてのみ、ホログラム記録媒体１０に照射されることになる。物体光ａの光路上に設けられた空間光変調器２０５は、記録すべきデータにしたがって、物体光ａを、平面的にパターン変調する装置である。
【００９０】
一方、参照光ｂは、ミラー２０８によって反射された後、レンズ２１０を介して、ホログラム記録媒体１０の反射防止膜２１の表面に対して、所定の入射角θをもって、入射する。参照光ｂの光路上には、シャッタは設けられてはいないため、ホログラム記録媒体１０にはデータの記録時および再生時の両方において参照光ｂが照射される。
【００９１】
したがって、データの記録時においては、ホログラム記録媒体１０には物体光ａおよび参照光ｂの両方が照射され、これにより、ホログラム記録媒体１０に含まれるホログラム記録層２０内に、物体光ａおよび参照光ｂによる干渉縞が生成され、ホログラムとして記録される。
【００９２】
一方、データの再生時においては、ホログラム記録媒体１０には参照光ｂのみが照射され、これにより、ホログラム記録層２０内に形成されているホログラムが、光の形で、再生され、ホログラムの像を含む再生光ｄが、レンズ２１２を介して、イメージセンサ２１４に受光される。再生光に含まれるホログラム像は、イメージセンサ２１４によって、データに変換される。
【００９３】
他方、位置制御光ｃは、ハーフミラー２０７を通過した後、レンズ２１１を介して、ホログラム記録媒体１０の反射防止膜２１の表面に対して、垂直に入射する。
【００９４】
位置制御光ｃのフォーカスは、光透過性基板１２に設けられている凹凸パターン１３に合わせられ、凹凸パターン１３によって反射された位置制御光ｅが、位置検出器２１３によって、検出されて、物体光ａおよび参照光ｂまたは参照光ｂの位置決めがされるとともに、現在、記録または再生を行っている領域のアドレスが検出される。
【００９５】
以上のように構成されたホログラム記録再生装置２００を用いて、ホログラム記録媒体１０にデータを記録し、ホログラム記録媒体１０からデータを再生する場合、本実施態様にかかるホログラム記録媒体１０においては、波長がλ１である位置制御光ｃに対する反射防止膜２２の反射率Ｒ２２（λ１）が十分に大きく設定されているから、光透過性基板１２の表面１２ａに形成された反射防止膜２２によって反射された位置制御光ｅの強度は十分に大きく、したがって、位置検出器２１３により、反射防止膜２２によって反射された位置制御光ｅを検出することによって、物体光ａおよび参照光ｂの位置決めおよび現在、記録／再生を行っている領域のアドレス検出を確実に行うことが可能となる。
【００９６】
また、反射防止膜２２は、物体光ａおよび参照光ｂに対する反射率Ｒ２２（λ０）が、位置制御光ｃに対する反射率Ｒ２２（λ１）よりも小さく設定されているから、光透過性基板１２の表面１２ａにおける物体光ａおよび参照光ｂの反射は抑制され、したがって、物体光ａおよび参照光ｂが光透過性基板１２の表面１２ａにおいて反射することに起因するデータの記録または再生への悪影響を効果的に抑制することができる。
【００９７】
さらに、位置制御光ｃに対する反射防止膜２１の反射率Ｒ２１（λ１）が、位置制御光ｃに対する反射防止膜２２の反射率Ｒ２２（λ１）よりも小さく設定されているから、光透過性基板１１の表面１１ａにおける位置制御光ｃの反射は抑制され、したがって、位置制御光ｃが光透過性基板１１の表面１１ａにおいて反射することに起因するデータの記録または再生への悪影響を効果的に抑制することができる。
【００９８】
一般に、ホログラム記録媒体１０に対する物体光ａの入射角φおよびホログラム記録媒体１０に対する参照光ｂの入射角θの和（φ＋θ）、すなわち、物体光ａと参照光ｂがなす角度（φ＋θ）が９０°に近いほど、ホログラムの多重度が大きくなり、高密度化が可能となる。
【００９９】
また、回折効率を大きくするためには、ホログラム記録媒体１０に対する物体光ａの入射角φとホログラム記録媒体１０に対する参照光ｂの入射角θの一方が９０°に近いことが好ましい。
【０１００】
光学系の配置、物体光ａと参照光ｂの光束がホログラム記録層２０で重なる体積などを考慮すれば、ホログラム記録を多重化し、高密度化を達成するためには、ホログラム記録媒体１０に対する物体光ａの入射角φおよびホログラム記録媒体１０に対する参照光ｂの入射角θのいずれかが４５°以上まで変化させることできることが好ましく、５５°以上まで変化させることができることがより好ましい。
【０１０１】
物体光ａおよび参照光ｂに球面波を用いた場合も、ホログラム記録媒体１０に対し、低入射角成分から４５°以上、より好ましくは５５°以上の高入射角成分の光まで用いることが、高密度化を達成するために好ましい。このため、反射率Ｒ２１（λ０）および反射率Ｒ２２（λ０）としては、できる限り広い入射角で、低い値、好ましくは１．０％以下、より好ましくは０．５％以下に抑えられている必要がある。
【０１０２】
さらに、凹凸パターン１３が物体光ａ、参照光ｂまたは再生光ｄの光路上にあると、凹凸パターン１３によって物体光ａ、参照光ｂまたは再生光ｄの波面に収差が生じて、記録信号または再生信号にノイズを生成するおそれがある。したがって、物体光ａおよび参照光ｂは、物体光ａ、参照光ｂおよび再生光ｄの光路上に、凹凸パターン１３が位置することがないように照射することが好ましい。なお、本実施態様においては、凹凸パターン１３が、物体光ａおよび参照光ｂの入射方向とは反対側に位置する光透過性基板１２に設けられているから、凹凸パターン１３と再生光ｄの光路との関係を考慮すればよい。
【０１０３】
以上のように、本実施態様にかかるホログラム記録媒体１０は、光透過性基板１１の表面１１ａに設けられた反射防止膜２１と、光透過性基板１２の表面１２ａに設けられた反射防止膜２２とを備え、反射防止膜２１、２２の反射率が、上述した式（１）および式（２）を満たすように設定されているから、物体光ａおよび参照光ｂを用いたデータの記録特性および再生特性を向上させることができ、同時に、位置制御光を用いて、所望のように、物体光ａおよび参照光ｂまたは参照光ｂを位置決めし、記録または再生を行われている領域のアドレスを検出することが可能になる。
【実施例】
【０１０４】
以下、本発明の効果をより明瞭なものとするため、実施例を掲げる。
【０１０５】
実施例１
厚さ０．６ｍｍの厚さと、１．５２の屈折率を有するアモルファスポリオレフィン基板を用意し、アモルファスポリオレフィン基板上に、８７ｎｍの厚さと、１．３９の屈折率を有するＭｇＦ２とＳｉＯ２の混合物からなる無機膜と、９１ｎｍの厚さと、１．７５の屈折率を有するＹ２Ｏ３からなる無機膜と、６６ｎｍの厚さと、２．４０の屈折率を有するＴｉＯ２からなる無機膜と、７６ｎｍの厚さと、１．７５の屈折率を有するＹ２Ｏ３からなる無機膜と、１２９ｎｍの厚さと、１．３９の屈折率を有するＭｇＦ２とＳｉＯ２の混合物からなる無機膜と、９４ｎｍの厚さと、１．７５の屈折率を有するＹ２Ｏ３からなる無機膜と、
１１０ｎｍの厚さと、１．３９の屈折率を有するＭｇＦ２とＳｉＯ２の混合物からなる無機膜を、この順に、スパッタリング法によって成膜して、複数の無機膜を含む反射防止膜を備えたサンプル＃１を作製した。
【０１０６】
次いで、厚さ０．６ｍｍの厚さと、１．５２の屈折率を有する別のアモルファスポリオレフィン基板を用意し、アモルファスポリオレフィン基板上に、１１８ｎｍの厚さと、１．３９の屈折率を有するＭｇＦ２とＳｉＯ２の混合物からなる無機膜と、１０１ｎｍの厚さと、１．７５の屈折率を有するＹ２Ｏ３からなる無機膜と、４６ｎｍの厚さと、２．４０の屈折率を有するＴｉＯ２からなる無機膜と、１０８ｎｍの厚さと、１．７５の屈折率を有するＹ２Ｏ３からなる無機膜と、８６ｎｍの厚さと、１．３９の屈折率を有するＭｇＦ２とＳｉＯ２の混合物からなる無機膜と、１１２ｎｍの厚さと、１．７５の屈折率を有するＹ２Ｏ３からなる無機膜と、１０７ｎｍの厚さと、１．３９の屈折率を有するＭｇＦ２とＳｉＯ２の混合物からなる無機膜を、この順に、スパッタリング法によって成膜して、複数の無機膜を含む反射防止膜を備えたサンプル＃２を作製した。
【０１０７】
さらに、厚さ０．６ｍｍの厚さと、１．５２の屈折率を有するアモルファスポリオレフィン基板を用意し、アモルファスポリオレフィン基板上に、１１７ｎｍの厚さと、１．３９の屈折率を有するＭｇＦ２とＳｉＯ２の混合物からなる無機膜と、１０２ｎｍの厚さと、１．６２の屈折率を有するＡｌ２Ｏ３からなる無機膜と、６３ｎｍの厚さと、２．３０の屈折率を有するＺｎＳからなる無機膜と、７２ｎｍの厚さと、１．８５の屈折率を有するＺｒＯ２とＳｉＯ２の混合物からなる無機膜と、１４０ｎｍの厚さと、１．３９の屈折率を有するＭｇＦ２とＳｉＯ２の混合物からなる無機膜と、９６ｎｍの厚さと、１．７５の屈折率を有するＹ２Ｏ３からなる無機膜と、１０６ｎｍの厚さと、１．３９の屈折率を有するＭｇＦ２とＳｉＯ２の混合物からなる無機膜を、この順に、スパッタリング法によって成膜して、複数の無機膜を含む反射防止膜が形成されたサンプル＃３を作製した。
【０１０８】
屈折率は、５３２ｎｍの波長λを有するdoubled-YAGレーザに対する値であり、また、サンプル＃１ｍないし＃３の反射防止膜の膜厚は、doubled-YAGレーザの波長のそれぞれ、１．２３倍、１．２７倍および１．３１倍であり、いずれも１．５倍未満であった。
【０１０９】
サンプル＃１、＃２および＃３に、波長λのレーザビームを、入射角を５度に設定して、照射し、反射率を測定した。レーザビームの波長λは、５００ｎｍから８００ｎｍの範囲で、変化させた。
【０１１０】
測定結果は、図６に示されている。
【０１１１】
図６に示されるように、サンプル＃１、＃２および＃３のいずれにおいても、波長λが５３０ｎｍ付近における反射率が０．５％以下であった。
【０１１２】
一方、波長λが７８０ｎｍ付近における反射率は、サンプル＃１においては約３．１％、サンプル＃２においては約０．９％サンプル＃３においては約５．０％となった。
【０１１３】
これにより、光透過性基板の材料として、アモルファスポリオレフィン（屈折率：１．５２）を用いた場合、サンプル＃２の反射防止膜を、物体光、参照光および位置制御光が照射される光透過性基板の表面に設けるとともに、サンプル＃１またはサンプル＃３の反射防止膜を、他方の光透過性基板の表面に設け、物体光および参照光の波長λ０を約５３０ｎｍに設定し、位置制御光の波長λ１を約７８０ｎｍに設定すれば、物体光ａおよび参照光ｂを用いたデータの記録特性および再生特性を向上させることができ、同時に、位置制御光を用いて、所望のように、物体光ａおよび参照光ｂまたは参照光ｂを位置決めし、記録または再生を行われている領域のアドレスを検出することが可能になることがわかった。
【０１１４】
たとえば、波長λ０のレーザビームの光源としては、５３２ｎｍの波長λを有するdoubled-YAGレーザを用いることができ、波長λ１のレーザビームの光源としては、７８０ｎｍの波長λを有するＣＤ用赤外半導体レーザを用いることができる。
【０１１５】
実施例２
サンプル＃１のアモルファスポリオレフィン基板に代えて、０．６ｍｍの厚さと、１．５２の屈折率を有するソーダライムガラス基板を用いた以外は、サンプル＃１と同様にして、サンプル＃４を作製し、サンプル＃２のアモルファスポリオレフィン基板に代えて、０．６ｍｍの厚さと、１．５２の屈折率を有するソーダライムガラス基板を用いた以外は、サンプル＃２と同様にして、サンプル＃５を作製した。
【０１１６】
こうして得られたサンプル＃４およびサンプル＃５の反射率とレーザビームの波長λとの関係を測定したところ、サンプル＃１およびサンプル＃２と同様な結果が得られた。
【０１１７】
実施例３
サンプル＃１、＃２および＃３に、５３２ｎｍの波長λを有するdoubled-YAGレーザを、異なる入射角で、照射して、サンプル＃１、＃２および＃３の反射率を測定した。
【０１１８】
サンプル＃１についての測定結果は図７に、サンプル＃２についての測定結果は図８に、サンプル＃３についての測定結果は図９に、それぞれ示されている。
【０１１９】
図７ないし図９に示されるように、レーザビームの入射角が、０ないし６０度の広い範囲で変化しても、サンプル＃１、＃２および＃３の反射率はほぼ０．５％以下であり、１％を越えることがないことがわかった。
【０１２０】
実施例４
実施例２において作製したサンプル＃４および＃５の反射率を、実施例３と同様にして、測定したところ、サンプル＃１および＃２と同様な結果が得られた。
【０１２１】
本発明は、以上の実施態様および実施例に限定されることなく、特許請求の範囲に記載された発明の範囲内で種々の変更が可能であり、それらも本発明の範囲内に包含されるものであることはいうまでもない。
【０１２２】
たとえば、前記実施態様においては、ホログラム記録媒体１０のホログラム記録担体は、一対の光透過性基板１１、１２と、これらの間に設けられたホログラム記録層２０を備えているが、ホログラム記録媒体１０のホログラム記録担体が、一対の光透過性基板１１、１２と、これらの間に設けられたホログラム記録層２０を備えていることは必ずしも必要でなく、ホログラム記録担体が異なる層構成を有していてもよく、たとえば、単一の光透過基板とホログラム記録層によって、ホログラム記録担体を構成し、反射防止膜を、それぞれ、光透過基板およびホログラム記録層の表面に形成することもでき、さらに、ホログラム記録層が十分な機械的強度を有していれば、ホログラム記録層のみによって、ホログラム記録担体を構成し、反射防止膜をホログラム記録層の両面に形成するよにしてもよい。
【０１２３】
また、前記実施態様においては、凹凸パターン１３は、物体光ａおよび参照光ｂの入射方向とは反対側に位置する光透過性基板１２に設けられているが、凹凸パターン１３を、物体光ａおよび参照光ｂの入射方向とは反対側に位置する光透過性基板１２に設けることは必ずしも必要でなく、物体光ａおよび参照光ｂの光路の妨げとならないように、凹凸パターン１３を設ける必要があり、凹凸パターン１３の設計が複雑になるが、反射防止膜２２と、凹凸パターン１３が形成された光透過性基板１２とを、反射防止膜２２が、物体光ａおよび参照光ｂの入射側に位置するように配置することもできる。
【０１２４】
さらに、図４および図５に示されたホログラム記録再生装置においては、位置制御光ｃを、光透過性基板１１側から凹凸パターン１３に照射しているが、位置制御光ｃを、光透過性基板１１側から凹凸パターン１３に照射することは必ずしも必要でなく、位置制御光ｃを光透過性基板１２側から凹凸パターン１３に照射し、凹凸パターン１３によって反射された位置制御光ｃを検出することにより、物体光ａおよび参照光ｂの位置決めおよび現に、データの記録あるいは再生がおこなわれている領域のアドレス検出を行うようにしてもよい。
【０１２５】
また、前記実施態様においては、ホログラム記録媒体１０はディスク状の外形を有しているが、ホログラム記録媒体１０がディスク状の外形を有していることは必ずしも必要でなく、ホログラム記録媒体１０がカード状外形、シート状外形、ブロック状外形など有していてもよく、さらには、カートリッジに内蔵されるように構成されていてもよい。
【図面の簡単な説明】
【０１２６】
【図１】図１は、本発明の好ましい実施態様にかかるホログラム記録媒体の外観を示す略一部切り欠き斜視図である。
【図２】図２は、図１のＡで示される部分の略拡大部分断面図である。
【図３】図３は、反射防止膜の略断面図である。
【図４】図４は、ホログラム記録媒体に、データを記録し、再生するホログラム記録再生装置のダイアグラムである。
【図５】図５は、ホログラム記録媒体に、データを記録し、再生するホログラム記録再生装置の他の例を示すダイアグラムである。
【図６】図６は、実施例１において、サンプル＃１、＃２および＃３の反射率と、レーザビームの波長の関係を測定した結果を示すグラフである。
【図７】図７は、実施例３において、サンプル＃１の反射率と、レーザビームの入射角との関係を測定した結果を示すグラフである。
【図８】図８は、実施例３において、サンプル＃２の反射率と、レーザビームの入射角との関係を測定した結果を示すグラフである。
【図９】図９は、実施例３において、サンプル＃３の反射率と、レーザビームの入射角との関係を測定した結果を示すグラフである。
【符号の説明】
【０１２７】
１０  ホログラム記録媒体
１１、１２  光透過性基板
１１ａ、１２ａ  表面
１３  凹凸パターン
２０  ホログラム記録層
２１、２２  反射防止膜
３１、３２、３３、３４、３５、３６、３７  無機膜
１００  ホログラム記録再生装置
１０１  第１のレーザ光源
１０２  第２のレーザ光源
１０３  ビームスプリッタ
１０４  シャッタ
１０５  空間光変調器
１０６、１０７  ハーフミラー
１０８  ミラー
１０９、１１０、１１１  レンズ
１１２  位置検出器
１１３  イメージセンサ
２００  ホログラム記録再生装置
２０１  第１のレーザ光源
２０２  第２のレーザ光源
２０３  ビームスプリッタ
２０４  シャッタ
２０５  空間光変調器
２０７  ハーフミラー
２０６、２０８  ミラー
２０９、２１０、２１１、２１２  レンズ
２１３  位置検出器
２１４  イメージセンサ
ａ  物体光
ｂ  参照光
ｃ  位置制御光
ｄ  再生光
ｅ  反射された位置制御光
【図１】
2004151698.tif 000003
【図２】
2004151698.tif 000004
【図３】
2004151698.tif 000005
【図４】
2004151698.tif 000006
【図５】
2004151698.tif 000007
【図６】
2004151698.tif 000008
【図７】
2004151698.tif 000009
【図８】
2004151698.tif 000010
【図９】
2004151698.tif 000011